(57)【特許請求の範囲】
【請求項１】
容器の口部に装着される組付きキャップと、該組付きキャップに保持されるとともに内部に該容器からの内容液を通す導出路を有する柄筒体と、該柄筒体に嵌合保持されるとともに該導出路に通じる複数の注出路を通して複数の櫛歯片から内容液を吐出する櫛歯体と、を備える合成樹脂製の櫛歯付きキャップであって、
前記櫛歯体は、前記櫛歯片を前面に有し後面に前記注出路ごとの入口孔を形成する連結筒を有する主体板と、該主体板の両側端から後方に向けて延在する一対の挟持板と、該主体板を前方から後方に向けて貫くとともに該挟持板の内面を切り欠く金型突片部分によって形成される、一対の爪状係止部、及び該爪状係止部に対応して設けられる型抜き孔を備え、
前記柄筒体は、有頂筒状をなし前面に前記導出路と前記入口孔とを通じさせる連通孔を有する主体筒と、該主体筒の両側面壁に設けられ前記爪状係止部の係合面に引っ掛けることで該櫛歯体を嵌合保持する係止突部とを備え、
前記係合面の側方長さは、前記挟持板の厚みの０．４〜０．６倍であり、
前記型抜き孔は、前記櫛歯片の相互間において前記主体板の中央部に１つ設けられる櫛歯付きキャップ。
【請求項２】
前記型抜き孔は、前記櫛歯片の相互間において前記主体板の側方部に一対設けられる請求項１に記載の櫛歯付きキャップ。
【請求項３】
前記型抜き孔の側方長さは、前記主体板の側方長さの０．２倍以上である請求項２に記載の櫛歯付きキャップ。
【発明の詳細な説明】
【技術分野】
【０００１】
本発明は、容器の口部に装着され、容器内に収納された内容液を頭髪に直接塗布すべく構成した櫛歯付きキャップに関するものである。
【背景技術】
【０００２】
例えば白髪染め液、ヘアマニキュア、ヘアカラー、整髪料等の内容液を収納するスクイズ性を有する容器やエアゾール式の容器においては、内容液を頭髪に直接塗布すべく、容器の口部に櫛歯付きキャップが装着される。この種の櫛歯付きキャップは、使用開始に当たって２液を混ぜ合わせた容器に装着するため、或いは内容液の使い切りによる容器の交換や櫛歯付きキャップの洗浄等のために、容器に対して着脱できるように構成されている。またこのような櫛歯付きキャップは一般に、容器からの内容液を導入する柄筒体に対し、櫛歯片を設けた櫛歯体が嵌合保持されるように構成されている。
【０００３】
ところで櫛歯付きキャップを着脱する際には、櫛歯片の位置する部分が持ちやすく、この部分を持って着脱操作することが多くなるため、柄筒体の内容液通路と櫛歯体の内容液通路との連結部分に影響が及ばないように構成する必要がある。このようなものとして特許文献１には、櫛歯体を、櫛歯片を前面に設けた主体板と、主体板の両側端に設けられる一対の挟持板と、挟持板の内面に設けた係止片（爪状係止部）とを備えるものとして構成し、柄筒体を、有頂筒状になる主体筒と、主体筒の側面壁に設けられる係止突部とを備えるものとして構成した櫛歯付きキャップが示されている。このような櫛歯付きキャップによれば、捻り力等の横方向に作用する外力が作用しても、この外力は、挟持板自体の強度に加え、挟持板の係止片と主体筒の係止突部とのアンダーカット結合によって受け止めることができるので、内容液通路の連結部分に対して力は殆ど作用せず、密な連結状態を維持することができる。
【先行技術文献】
【特許文献】
【０００４】
【特許文献１】特開２０１１−７２３７５号公報
【発明の概要】
【発明が解決しようとする課題】
【０００５】
ところで前述の係止片において、係止突部が引っ掛かる係止片の前面（係合面）は、櫛歯体の前面側を形成する前金型の突片部分で形成されるものであり、櫛歯体には、この突片部分を離型させるための型抜き孔（同文献の図４、図５において符号１１を付した部分）が形成される。この突片部分は、型抜き孔に対応する大きさであって比較的小さいため、金型強度が低くなる部分である。このため、櫛歯体の成形ショット数が多くなっても安定的に生産できるようにするために、金型突片部分の強度をより向上させることが望ましい。
【０００６】
本発明は、このような点を解決することを課題とするものであり、従来のものに対して金型強度を向上させることができ、また柄筒体と櫛歯体との嵌合強度を同等以上にすることができる、改良された櫛歯付きキャップを提案することを目的とする。
【課題を解決するための手段】
【０００７】
本発明は、容器の口部に装着される組付きキャップと、該組付きキャップに保持されるとともに内部に該容器からの内容液を通す導出路を有する柄筒体と、該柄筒体に嵌合保持されるとともに該導出路に通じる複数の注出路を通して複数の櫛歯片から内容液を吐出する櫛歯体と、を備える合成樹脂製の櫛歯付きキャップであって、
前記櫛歯体は、前記櫛歯片を前面に有し後面に前記注出路ごとの入口孔を形成する連結筒を有する主体板と、該主体板の両側端から後方に向けて延在する一対の挟持板と、該主体板を前方から後方に向けて貫くとともに該挟持板の内面を切り欠く金型突片部分によって形成される、一対の爪状係止部、及び該爪状係止部に対応して設けられる型抜き孔とを備え、
前記柄筒体は、有頂筒状をなし前面に前記導出路と前記入口孔とを通じさせる連通孔を有する主体筒と、該主体筒の両側面壁に設けられ前記爪状係止部の係合面に引っ掛けることで該櫛歯体を嵌合保持する係止突部とを備え、
前記係合面の側方長さは、前記挟持板の厚みの０．４〜０．６倍であり、
前記型抜き孔は、前記櫛歯片の相互間において前記主体板の中央部に１つ設けられる櫛歯付きキャップである。
【０００８】
前記型抜き孔は、前記櫛歯片の相互間において前記主体板の側方部に一対設けられることが好ましい。
【０００９】
前記型抜き孔の側方長さは、前記主体板の側方長さの０．２倍以上であることが好ましい。
【発明の効果】
【００１１】
本発明では、櫛歯体に、主体板を前方から後方に向けて貫くとともに挟持板の内面を切り欠く金型突片部分によって形成される、一対の爪状係止部、及び爪状係止部に対応して設けられる型抜き孔を設け、柄筒体に、爪状係止部の係合面に引っ掛かる係止突部を設けたうえで、係合面の側方長さが挟持板の厚みの０．４〜０．６倍になるようにしている。爪状係止部は、金型突片部分によって挟持板の内面を切り欠くようにして形成されることから、従来は挟持板自体の強度を確保するべく、爪状係止部の係合面の側方長さは挟持板の厚みの０．３倍程度に抑えていた。しかし、本発明者が鋭意検討を進めたところ、金型突片部分を大きくして挟持板の厚みを減らす一方で、係合面の側方長さが増える分、係止突部との掛かり代を増やせば、嵌合強度が向上できることを見出した。すなわち本発明によれば、金型突片部分を大きくすることが可能になるため金型強度を高めることができ、また櫛歯体と柄筒体との嵌合強度を同等以上にすることができる。さらに、金型突片部分が大きくなることから、櫛歯体の樹脂量を減らすこともできる。
【００１２】
また、型抜き孔は、櫛歯片の相互間において主体板の側方部に一対設けられるものとし、型抜き孔の側方長さを主体板の側方長さの０．２倍以上とすることで、櫛歯体の樹脂量をより削減することができる。また型抜き孔は、櫛歯片の相互間において主体板の中央部に１つ設けられるものでもよく、この場合は、金型突片部分の大きさを更に大きくできるので、金型強度をより高めることができるうえ、櫛歯体の樹脂量を一層減らすことができる。
【図面の簡単な説明】
【００１３】
【図１】本発明に従う櫛歯付きキャップの一実施形態につき、容器の口部に装着した状態で、一部を断面で示す側面図である。
【図２】図１に示す柄筒体につき、（ａ）は正面図であり、（ｂ）は側面図であり、（ｃ）は（ａ）のＣ−Ｃに沿う断面図である。
【図３】図１に示す櫛歯体につき、（ａ）は正面図であり、（ｂ）は側面図であり、（ｃ）は背面図である。
【図４】図１に示す櫛歯体につき、（ａ）は図３（ａ）に示すＤ−Ｄに沿う断面図であり、（ｂ）は図３（ａ）に示すＥ−Ｅに沿う断面図である。
【図５】図１に示す櫛歯付きキャップにつき、（ａ）は、図１に示すＡ−Ａに沿う断面図であり、（ｂ）は図１に示すＢ−Ｂに沿う断面図である。
【図６】本発明に従う櫛歯付きキャップの他の実施形態で用いる櫛歯体につき、（ａ）は正面図であり、（ｂ）は（ａ）に示すＦ−Ｆに沿う断面図であり、（ｃ）は背面図である。
【図７】図６に示す櫛歯体を用いた他の実施形態の櫛歯付きキャップにつき、図５（ａ）に準じて示す断面図である。
【図８】従来の櫛歯付きキャップに関する図であって、（ａ）は従来の櫛歯体の正面図であり、（ｂ）は従来の櫛歯付きキャップを図５（ａ）に準じて示す断面図である。
【発明を実施するための形態】
【００１４】
以下、図面を参照して、本発明をより具体的に説明する。なお、本明細書、特許請求の範囲、要約書において、「前」とは、櫛歯体の主体板に対して櫛歯片の先端が位置する側（図１の左側）であり、「後」とはその反対側（図１の右側）である。また「上」とは、組付きキャップに対して柄筒体が位置する側（図１の上側）であり、「下」とはその反対側（図１の下側）である。また「側方」とは、前から後に見る際の左右方向である。
【００１５】
図１は、本発明に従う櫛歯付きキャップの一実施形態を示す図である。本実施形態の櫛歯付きキャップ１は、それぞれ合成樹脂製である、組付きキャップ２と、柄筒体３と、櫛歯体４とで構成されている。
【００１６】
組付きキャップ２は、容器５の口部に対して装着される。図示は省略するが、組付きキャップ２と口部との間には、ねじやアンダーカット等が設けられていて、両者は着脱可能になっている。
【００１７】
柄筒体３は、図１、図２に示すように、有頂筒状をなす主体筒１０を備えている。主体筒１０の内部には、主体筒１０の軸線に沿って延在し、容器５の内容液を組付きキャップ２を介して導入する導出路１１が設けられている。主体筒１０の前面壁１２には、導出路１１に通じる複数の連通孔１３が上下方向に一列に設けられている。主体筒１０において、連通孔１３の側方両側には、上下方向に延在する溝状の肉盗み部１４が設けられている（図２（ａ）、図５（ａ）参照）。
【００１８】
柄筒体３の側面壁１５には、側方に向けて部分的に突出する係止突部１６が設けられている。係止突部１６は、本実施形態では側面壁１５の上方域と下方域にそれぞれ２つずつ設けられ、また中央域に３つ設けられている。また側面壁１５において、係止突部１６の後方には、上下方向に延在する当たり壁片１７が設けられている。当たり壁片１７の上端及び下端には、櫛歯体４に設けた櫛歯片（櫛歯片の詳細については後述する）と同形状になる上側櫛歯片１８及び下側櫛歯片１９が設けられている。
【００１９】
更に柄筒体３の下方には、組付きキャップ２に対して抜け出し不能に連結するアンダーカット部２０と、組付きキャップ２に対する回り止めとして機能する回り止め片２１が設けられている。
【００２０】
櫛歯体４は、図１、図３、図４に示すように矩形平板状となる主体板２２を備えている。主体板２２の前面には、複数の櫛歯片２３が設けられている。また、主体板２２の後面において、その中央部の櫛歯片２３に対応する位置には、連通孔１３に挿入されて密に組付く連結筒２４が設けられている。また、櫛歯片２３及び連結筒２４の内側には、内容液の通路となる注出路２５が設けられている（図４（ｂ）、図５（ｂ）参照）。連結筒２４の後端には、注出路２５の入口となる入口孔２６が開口しており、ここから注出路２５に導入された内容液は、櫛歯片２３の先端において上下方向に貫通する吐出口２７から吐出される。なお、図３（ａ）に示すように櫛歯片２３の中央部には、膨出状に設けた中央大厚部２８が設けられているので、注出路２５の流路断面積を大きくすることが可能になり、これによって内容液を吐出させる際の抵抗が抑えられる結果、内容液を容易に吐出させることができる。また、中央大厚部２８を設けることで隣接する櫛歯片２３の間隔が狭くなるので、櫛歯片２３による頭髪の保持性が高まるとともに、吐出した内容液の頭髪に対する塗布性も高めることができる。
【００２１】
また櫛歯体４の両側端には、後方に向けて延在する一対の挟持板２９が設けられている。そして主体板２２における櫛歯片２３の相互間には、係止突部１６に対応する位置に型抜き孔３０が設けられている。更に、型抜き孔３０の後方には、挟持板２９の内面を切り欠いて設けられる爪状係止部３１が設けられている。型抜き孔３０及び爪状係止部３１は、櫛歯体４を成形する金型において、その前面側を形成する前金型に設けられた金型突片部分３２（図４（ａ）に仮想線で示す）で形成される。また爪状係止部３１は、係止突部１６に引っ掛かる係合面３３を有している。また、係合面３３の側方長さＬ１と挟持板２９の厚みＬ２との関係は、Ｌ１／Ｌ２＝０．４〜０．６になるように設定している（本実施形態では、Ｌ１／Ｌ２＝０．５６）。また、型抜き孔３０の側方長さＬ３と主体板２２の側方長さＬ４との関係は、Ｌ３／Ｌ４≧０．２になるように設定している（本実施形態では、Ｌ３／Ｌ４＝０．３）。
【００２２】
このように形成される柄筒体３と櫛歯体４とは、図１、図５に示すように組み合わせることができ、挟持板２９で係止突部１６や主体板２２を挟みつつ、係止突部１６に爪状係止部３１の係合面３３が引っ掛かることで、櫛歯体４は柄筒体３に嵌合保持される。
【００２３】
図８は、従来の櫛歯付きキャップに関する図である。従来の櫛歯体１０４において、挟持板１２９の厚みＬ１２は上述の挟持板２９の厚みＬ２と同一であるが、爪状係止部１３１における係合面１３３の側方長さＬ１１は、上述の係合面３３の側方長さＬ１よりも短くなっている。また、係合面１３３の側方長さＬ１１と挟持板１２９の厚みＬ１２の関係は、Ｌ１１／Ｌ１２＝０．３３になっている。また、従来の櫛歯体１０４において、主体板１２２の側方長さＬ１４は上述の主体板２２の側方長さＬ４と同一であるが、型抜き孔１３０の側方長さＬ１３は、上述の型抜き孔３０の側方長さＬ３よりも短くなっている。また、型抜き孔１３０の側方長さＬ１３と主体板１２２の側方長さＬ１４との関係は、Ｌ３／Ｌ４＝０．１になっている。
【００２４】
図８に示す従来の櫛歯付きキャップでは、金型突片部分１３２が比較的小さく、金型強度が低くなるが、本発明によれば、図４に示すように金型突片部分３２が大きくなるので、金型強度を高めることができる。また金型突片部分３２が大きくなるに伴い、櫛歯体４の樹脂量も減らすことができる。また、挟持板２９の厚みＬ２は一定のまま、係合面３３の側方長さＬ１を変更して櫛歯体４を成形し、これを柄筒体３に嵌合保持させてその嵌合強度を確認したところ、少なくともＬ１／Ｌ２が０．６以下になる範囲では、従来のものより向上できることが確認された。嵌合強度を高めつつ樹脂量の削減を有意なものとするためには、Ｌ１／Ｌ２＝０．４〜０．６とすることが好ましく、Ｌ１／Ｌ２＝０．５〜０．６とすることがより好ましい。更に、主体板２２の側方長さＬ４は一定のまま、型抜き孔３０の側方長さＬ３を主体板２２の中心に向けて長くするように変更して櫛歯体４を成形し、これを柄筒体３に嵌合保持させてその嵌合強度を確認したところ、型抜き孔３０の側方長さＬ３を従来の型抜き孔１３０の側方長さＬ１３よりも大きくしても、嵌合強度は従来のものより向上していた。ここで樹脂量の削減を有意なものとするためには、Ｌ３／Ｌ４≧０．２とすることが好ましく、Ｌ３／Ｌ４≧０．３とすることがより好ましい。なお、本実施形態での嵌合強度は、従来のものに対して約１０％の向上が認められた。
【００２５】
なお、上述した主体板２２の側方に設けられる一対の型抜き孔３０は、主体板２２の幅方向中央に向かって型抜き孔３０の側方長さＬ３を特に長くして、図６、図７に示すように主体板２２の中央部に型抜き孔３０が一つ設けられるようにしても、嵌合強度は従来のものと同等であった。この場合は金型突片部分３２が一つになるため、金型強度の向上が特に図れることになる。なお、本実施形態でのＬ３／Ｌ４は０．８８になるため、少なくともＬ３／Ｌ４≦０．８８であれば嵌合強度を維持できることが分かる。
【産業上の利用可能性】
【００２６】
本発明によれば、従来の櫛歯付きキャップに対して金型強度を高めることができるのでより生産性を高めることができるうえ、柄筒体と櫛歯体との嵌合強度は同等以上にすることができる櫛歯付きキャップを提供することができる。
【符号の説明】
【００２７】
１：櫛歯付きキャップ
２：組付きキャップ
３：柄筒体
４：櫛歯体
５：容器
１０：主体筒
１１：導出路
１２：前面壁
１３：連通孔
１４：肉盗み部
１５：側面壁
１６：係止突部
１７：当たり壁片
１８：上側櫛歯片
１９：下側櫛歯片
２０：アンダーカット部
２１：回り止め片
２２：主体板
２３：櫛歯片
２４：連結筒
２５：注出路
２６：入口孔
２７：吐出口
２８：中央大厚部
２９：挟持板
３０：型抜き孔
３１：爪状係止部
３２：金型突片部分
３３：係合面
１０４：櫛歯体（従来の櫛歯付きキャップ）
１２２：主体板（従来の櫛歯付きキャップ）
１２９：挟持板（従来の櫛歯付きキャップ）
１３０：型抜き孔（従来の櫛歯付きキャップ）
１３１：爪状係止部（従来の櫛歯付きキャップ）
１３２：金型突片部分（従来の櫛歯付きキャップ）
１３３：係合面（従来の櫛歯付きキャップ）
Ｌ１：係合面の側方長さ
Ｌ２：挟持板の厚み
Ｌ３：型抜き孔の側方長さ
Ｌ４：主体板の側方長さ
Ｌ１１：係合面の側方長さ（従来の櫛歯付きキャップ）
Ｌ１２：挟持板の厚み（従来の櫛歯付きキャップ）
Ｌ１３：型抜き孔の側方長さ（従来の櫛歯付きキャップ）
Ｌ１４：主体板の側方長さ（従来の櫛歯付きキャップ）
【図１】
0006508888.tif 000002
【図２】
0006508888.tif 000003
【図３】
0006508888.tif 000004
【図４】
0006508888.tif 000005
【図５】
0006508888.tif 000006
【図６】
0006508888.tif 000007
【図７】
0006508888.tif 000008
【図８】
0006508888.tif 000009